(57)【要約】【課題】電子機器を屋内で使用する時のコーヒー落下、屋外で使用する時の降雨等により、キーボードを通して水が電子機器回路部に到達して、故障が発生すると共にキーボード操作部にごみがたまり、キータッチ不良が発生する。【解決手段】本発明のキーボードを備えた電子機器では、キーボード上に落下する水はキーボード底面に設置された排水口に集まり、ゴムチューブを通して排水される。キーボードは操作部とスイッチ部とが分離可能な構造であり、操作部ユニットは本体フレームからの着脱が容易であるため、異物が付着している操作部ユニットを取りはずし、温湯で洗うことにより、異物は再溶解し除去される。キータッチの操作性を決定づけるリンクユニットはワンタッチ操作で、スイッチ部パネルへの離脱が可能な構造であるため、異物が溶解されない場合はリンクユニットを交換し、良好な操作性を維持できる。キーボードのスイッチ部は本体フレームに固定され、防水処理されているので、布等で異物を拭き取ることができる。【選択図】図１
2005346680.tif 000002
【特許請求の範囲】
【請求項１】
キーボードを構成するキースイッチを操作部とスイッチ部とに分離可能な構造とし、隣接する複数箇のキースイッチの操作部をユニット化し、操作部ユニットをスイッチ部が固定されているキーボードの本体フレームに、着脱可能にすることにより、洗浄自在にしたことを特徴とするキーボード。
【請求項２】
外周壁と排水口を有する本体フレームに、シート状のスイッチ部を取付け、防水処理をしてなる請求項１記載のキーボード。
【請求項３】
複数箇の外周壁を有する操作部ユニットは、四方外周壁を有する本体フレーム内に収納され、外周断面が「Ｕ」字又は「Ｌ」字を形成してなる化粧パネルにより、着脱可能に固定されている請求項２記載のキーボード。
【請求項４】
キーボードを構成するキースイッチを操作部とスイッチ部とに分離可能な構造とし、隣接する複数箇のキースイッチの操作部をユニット化し、該操作ユニットを本体フレーム内で移動したり、着脱自在にしたキーボードにおいて、「コ」字形リンク摺動受部と複数箇の「凸」形状の端部を有する複数箇リンクユニットと、「Ｚ」形状の舌片とスリット付片持梁を有する操作部パネルから構成されるキーボード。
【発明の詳細な説明】
【産業上の利用】
【０００１】本発明はキーボードを備え電子機器に関して、特に防水処理を必要とするキーボードに関するものである。
【背景技術】
【０００２】電子機器を屋内で使用する時のコーヒー落下、屋外で使用する時の降雨等により、キーボードを通して水が電子機器の電子回路部に到達して、故障が発生すると共にキーボード操作部に異物がたまり、キータッチ不良を発生する。【０００３】最近では、薄いラバーシートよりなる防水シートをキーボード上面に張り付けているが、キータッチが重くなり、改善が求められている。
【発明が解決しようとする課題】
【０００４】キーボード上に落下する水は、キーボード底面の所定の部所に集めて処理すると共に、水に溶解している物質は乾燥すると固形物となり、キースイッチの操作性を妨げているので、これを再溶解させ処理する必要がある。
【問題を解決するための手段】
【０００５】本発明のキーボードを備えた電子機器では、キーボード上に落下する水はキーボード底面に設置された排水口に集まり、ゴムチューブを通して排水される。
【０００６】キーボードは操作部とスイッチ部とが分離構造であり、操作部の着脱が容易であるため、異物が付着している操作部ユニットを取り外し、温湯で洗うことにより、異物は再溶解し、除去される。キーボードのスイッチ部は本体フレームに固定し、防水処理されている。
【発明の効果】
【０００７】落下した水はキーボード底面の排水口よりゴムチューブを通して流出し、電子回路部に悪影響を与えない。コーヒーなどに含まれるカフェイン、砂糖等は操作部ユニットを取り外し、温湯で洗うことにより、除去されるので常に良好なるキータッチを確保できる。キーボードのスイッチ部は布等で拭き取ることにより水、異物を除去できる。
【発明を実施するための最良の形態】
【０００８】次に、本発明の実施の形態について図面を参照して説明する。図１は本発明によるキーボードの外観図である。図１−１は上面図、図１−２は側面図、図１−３はＡ−Ａ断面図である。キーボードは操作部ユニット１０とスイッチ部ユニット２０より構成され、それぞれは容易に分離、結合が可能な構造である。スイッチ部ユニット２０には排水口２２ａと外周壁２２ｂとが設けられている。操作部ユニット１０は２方又は４方に外周壁１５ｃが設けられていて、スイッチ部ユニットの外周壁２２ｂに嵌合しているため、対応するスイッチ操作部のセンターとスイッチ接点部のセンターとは一致する。化粧パネル１に形成されているパネル外周壁収納スリット１ａは、上記パネルの外周壁１５ｃ、２２ｂを収納し、パネル同志を確実に固定すると共に外周壁間より水、異物が混入しない様にガードしている。図２は操作部ユニットの外観図で図３はキートップを取り付ける前の状態の操作部ユニトの外観図である。図３−１は上面図、図３−２は側面図、図３−３はＡ−Ａ断面図である。キースイッチの操作部は内リンク１１と外リンク１２がホルダー１３に組み込まれた「リンクユニット」と、ドームスプリング１４が接着されているドームシート１４ｂと操作部パネル１５とキートップ１６とより構成されている。ホルダー１３には、内リンク１１がスムースに摺動可能にする「コ」の字形摺動受部１３ａと、操作部パネル１５にワンタッチで固定するための「凸」形状の端部１３ｂが複数箇形成されている。図４は操作パネル外観図で、図４−１は上面図、図４−２は側面図、図４−３はＡ−Ａ断面図である。操作部パネル１５には、ホルダー１３の内リンク１１の摺動受部１３ａと嵌合する「Ｚ」形状の舌片１５ａと相対して、ホルダー１３の端部１３ｂが挿入される角孔１５ａを有する片持梁１５ｂが形成されている。ホルダー１３の摺動受部１３ａをパネル１５の舌片１５ａに挿入し、ホルダー１３を押下げると、片持梁１５ｂが傾斜し、ホルダー端部１３ｂが角孔１５ｄに入り込みホルダー１３は操作パネル１５に確実に装着される。片持梁を外方向に傾けるとホルダー１３は離脱できる。温湯洗浄で処理できない固形物が付着している場合には、リンクユニット単位を交換することにより良好な操作性を維持できる。図５はスイッチ部ユニット外観図であり、図５−１は上面図、図５−２は側面図である。スイッチ部ユニットはスイッチ部パネル２２上にメンブレンシート２１が接着され、その周辺及び端子部は水とか異物が侵入出来ない様に防水シール２３されている。スイッチ部パネル２２には周辺壁２２ｂがあり、壁の継ぎ目は防水処理されていて、上面から落下した水とか異物はすべて排水口２２ａに注がれる。図６はメンブレンシートの外観図である。図６−１は上層メンブレンシートの配線図、図６−２は下層メンブレンシートの配線図である。図６−３は接着層パターン図で、コンタクト周辺部のエアギャップエリア２１ａとエアベントエリア２１ｂが確保されている。図７はスイッチ部パネルの外観図で、図７−１は上面図、図７−２は側面図である。排水口２２ａとメンブレンシートの端子部が通過するスリット２２ｃと外周壁２２ｂを形成している。図８は化粧パネルの外観図である。図８−１は上面図、図８−２は側面図、図８−３は裏面図である。操作部パネルの外周壁１５ｃと、スイッチ部パネルの外周壁２２ｂを収納するためのスリット１ａが形成されていて、両パネルの位置決めと装着、離脱が容易にできる。化粧パネル外縁の断面は「Ｕ」字形と共に「Ｌ」字形でも良い。
【図面の簡単な説明】
【図１】本発明によるキーボード外観図である。
【図２】操作部ユニット外観図である。
【図３】操作部ユニット外観図（キートップ取り付け前）である。
【図４】操作部パネル外観図である。
【図５】スイッチ部ユニト外観図である。
【図６】メンブレンシート外観図である。
【図７】スイッチ部パネル外観図である。
【図８】化粧パネル外観図である。
【符号の説明】
１            化粧パネル１ａ          パネル外周壁の収納スリット１０          操作部ユニット１１          内リンク１２          外リンク１３          ホルダー１３ａ        内リンクの摺動受部（「コ」の字形）１３ｂ        「凸」形の端部１４          ドームスプリング１４ａ        メンブレンシートを押下げる突出部１４ｂ        ドームスプリングが接着されているシート１５          操作部パネル１５ａ        ホルダーの摺動受部と嵌合する「Ｚ」形舌部１５ｂ        ホルダーの端部１３ｂがバネクランプされる片持梁１５ｃ        ドームスプリングの突出部（４ａが貫通する丸孔）１５ｄ        ホルダーの端部１３ｂが収納される角孔１６          キートップ２０          スイッチ部ユニット２１          メンブレンシート２２          スイッチ部パネル２２ａ        排水口２２ｂ        外周壁２２ｃ        メンブレンシートの端子部貫通スリット２３          防水処理部分
【図１】
2005346680.tif 000003
【図２】
2005346680.tif 000004
【図３】
2005346680.tif 000005
【図４】
2005346680.tif 000006
【図５】
2005346680.tif 000007
【図６】
2005346680.tif 000008
【図６−１】
2005346680.tif 000009
【図６−２】
2005346680.tif 000010
【図６−３】
2005346680.tif 000011
【図７】
2005346680.tif 000012
【図８】
2005346680.tif 000013